(57)【要約】【課題】ＦＰＵ受信基地局システム２００において、素材の伝送中に伝送が中断してしまうことを防止することができる技術を提供する。【解決手段】系統画面表示状態１０５では、基地局２０と本社３０間における現在選択されている伝送系統及び予備系統が表示される。素材伝送中の伝送系統は太線で表示され、予備系統は破線で表示される。また、この画面で機器の設定が可能であるため、「系統」ボタン１０２が押下され系統画面表示状態１０５の表示が選択されたときに、誤動作防止ボタン１１０が押下されない場合には、系統画面表示状態１０５を表示しないようになっている。また、素材伝送中の機器に関する設定変更の操作がなされると、画面には切り替えるか否かを確認する警告メッセージウィンドウ１１１が表示される。【選択図】図２
2009105654.tif 000002
【特許請求の範囲】
【請求項１】
複数の回線系統により伝送地点から直接または基地局を経由してデータを所定の場所まで伝送するＦＰＵ受信基地局システムの方向調整装置であって、
データが伝送されている回線系統と、データが伝送されていない予備の回線系統を区別可能に表示する表示制御手段と、
表示された回線系統の変更操作がなされたとき、当該変更操作の有効または無効の問い合わせを表示する設定保護手段と、
を備えたことを特徴とする方向調整装置。
【発明の詳細な説明】
【技術分野】
【０００１】
本発明は、伝送点から無線伝送されたデータを受信して基地局から所定の場所まで映像や音声の信号を伝える回線系統を制御するＦＰＵ受信基地局システムの方向調整装置に関する。
【背景技術】
【０００２】
テレビ放送の局外からの中継手段には、移動中継車に搭載したＦＰＵ（Field pick-up Unit）送信機を用いた局外中継が多く使用されている。取材現場では、移動中継車に搭載したＦＰＵ送信機のアンテナをＦＰＵ受信基地局（以下、単に「基地局」という）に向け、取材した映像を基地局経由で放送局に伝送する。一般には、基地局は見晴らしの良い山頂などに設置され、回転式アンテナにより周囲一円から電波を受信可能となっている。
【０００３】
基地局と中継地点（ＦＰＵ送信機）間のデータ伝送を高品位で実現するために、ＦＰＵ送信機側のアンテナ及び基地局のアンテナの方向調整（以下、単に「方調」ともいう）が、非常に重要である。
【０００４】
基地局側のアンテナの方調は、放送局からリモートコントロールにより行われるが、近年、そのリモートコントロールを行うための装置はＧＵＩ化が進み、オペレータによる基地局の制御がより容易となっている。
【０００５】
そのようなＧＵＩを備えるコントロール装置として、例えば、方調を行いながら電波伝搬遮断地帯を簡単に確認可能とする技術がある（例えば、特許文献１参照）。この技術によれば、回転パラボラアンテナが向いている方向の地形情報、より具体的には高さとアンテナの垂直角度線の縦断面図に表示するため、オペレータは電波の伝搬が遮断される可能性があるか否かを容易に把握できる。
【特許文献１】特開２００５−７３００７号公報
【発明の開示】
【発明が解決しようとする課題】
【０００６】
ところで、基地局のリモートコントロールは、上述のようにＧＵＩ化が進むことで非常に容易となった。しかし、ＧＵＩ化が進みリモートコントロールが容易になったことに伴い課題も生じた。つまり、ＧＵＩによりオペレータの意図を反映させるのが容易となったが、誤操作や本来操作すべきでないタイミングの操作であっても直ぐに反映されて、映像及び音声のデータ等の素材を伝送中にその伝送に関わる機器の設定変更により素材の伝送が中断してしまうおそれがある。
【０００７】
本発明は、以上のような状況に鑑みなされたものであって、その目的は、ＦＰＵ受信基地局システムにおいて、映像及び音声データ等の素材の伝送中に伝送が中断してしまうことを防止することができる技術を提供することにある。
【課題を解決するための手段】
【０００８】
本発明に係る装置は、方向調整装置に関する。この装置は、複数の回線系統により伝送地点から直接または基地局を経由してデータを所定の場所まで伝送するＦＰＵ受信基地局システムの方向調整装置であって、データが伝送されている回線系統と、データが伝送されていない予備の回線系統を区別可能に表示する表示制御手段と、表示された回線系統の変更操作がなされたとき、当該変更操作の有効または無効の問い合わせを表示する設定保護手段と、を備える。
【発明の効果】
【０００９】
本発明によれば、ＦＰＵ受信基地局システムにおいて、素材の伝送中に伝送が中断してしまうことを防止することができる。
【発明を実施するための最良の形態】
【００１０】
次に、本発明を実施するための最良の形態（以下、単に「実施形態」という）を、図面を参照して具体的に説明する。
【００１１】
図１は、本実施形態に係るＦＰＵ受信基地局システム２００の概要を示すシステム系統図を示している。ＦＰＵ受信基地局システム２００は、本社３０と、基地局２０と、第１の伝送点Ａの第１の送信部２０１と、第２の伝送点Ｂの第２の伝送部２０５で構成されている。
【００１２】
ここでは、第１の伝送点Ａの第１の送信部２０１から映像及び音声データが基地局２０で中継されて本社３０に伝送される。また、第２の伝送点Ｂの第２の伝送部２０５から映像及び音声データは直接本社３０に伝送される。第１の送信部２０１や第２の伝送部２０５は、例えば、ＦＰＵ送信機である。
【００１３】
基地局２０は、回転式パラボラアンテナである第１及び第２の基地局回転受信装置５１，５２と、第１及び第２の基地局受信部２０２ａ，２０２ｂと、基地局スイッチャー２１０ａと、基地局送信部２０３と、基地局固定送信アンテナ６１とを備える。
【００１４】
第１の基地局受信部２０２ａは、第１の基地局回転受信装置５１で受信した信号にＢＰＦ（バンドパスフィルタ）処理を施し、ＢＰＦ処理で抽出された信号を、所定の周波数のＩＦ（Intermediate Frequency）帯の信号に変換（以下、「ＩＦ変換」とも言う）を行う。第２の基地局受信部２０２ｂも、第２の基地局回転受信装置５２で受信した信号に対して、同様の処理を行う。
【００１５】
そして、第１及び第２の基地局受信部２０２ａ，２０２ｂで上述の処理がなされた信号は、基地局スイッチャー２１０ａに送られ、第１及び第２の基地局受信部２０２ａ，２０２ｂのいずれかの信号が選択され、基地局送信部２０３に送られる。
【００１６】
基地局送信部２０３は、所定の周波数帯域のＲＦ（Radio Frequency）信号へ変換し、所定の電力となるように増幅し、基地局固定送信アンテナ６１から信号を再送出する。
【００１７】
さらに、基地局２０は、リモコン子局２２１と基地局モデム２２２ａとを備える。リモコン子局２２１は、第１の基地局回転受信装置５１のインタフェイスとして機能し、第１の送信部２０１等のＦＰＵからの信号受信状態が最適となるように第１の基地局回転受信装置５１や第２の基地局回転受信装置５２を制御するとともに制御の結果の情報を監視情報として、方調操作端末７０に送信する。その制御及び監視は、後述する本社３０の本社モデム２２２ｂに接続される基地局モデム２２２ａを介して本社３０からリモートコントロールによりなされる。
【００１８】
本社３０は、基地局２０の基地局固定送信アンテナ６１からの信号を受信する本社固定アンテナ６２と、第２の伝送点Ｂの第２の伝送部２０５からの信号を直接受信する本社回転受信装置５３とを有する。基地局固定送信アンテナ６１と本社固定アンテナ６２は、送受信状態が最も適切となる向きに固定されている。
【００１９】
本社３０は更に、第１の本社受信部２０４と第２の本社受信部２０６と、本社スイッチャー２１０ｂと、デコーダ２１１とを有する。
【００２０】
第１の本社受信部２０４及び第２の本社受信部２０６は、基地局２０の第１の基地局受信部２０２ａや第２の基地局受信部２０２ｂと概ね同様の機能を有する。つまり、第１の本社受信部２０４及び第２の本社受信部２０６は、本社固定アンテナ６２や本社回転受信装置５３が受信した信号に対して、ＢＰＦ処理、ＩＦ変換処理などを施し、本社スイッチャー２１０ｂへ送る。
【００２１】
本社スイッチャー２１０ｂは、第１の本社受信部２０４または第２の本社受信部２０６の何れかの信号を選択してデコーダ２１１に送る。
【００２２】
デコーダ２１１は、受信した伝送波の受信レベル、一般にはＢＬ値を、適正レベルに調整し、変調されているデジタルデータを変調方式に応じて復調し、さらに復調したデータを復号処理して、映像及び音声データを抽出する。
【００２３】
また、本社３０は、基地局２０の第１の基地局回転受信装置５１及び第２の基地局回転受信装置５２をリモートコントロールするための第１のリモコン親局２２３ａと、本社回転受信装置５３を制御及び監視するための第２のリモコン親局２２３ｂと、ネットワーク回線８０に接続されてそれらリモートコントロールのためのオペレータの操作を受け付ける方調操作端末７０とを有する。
【００２４】
図２及び図３は、方調操作端末７０の操作画面１０１を示している。操作画面１０１は、図左側の画面切替エリア１１２と、図上側の受信状態表示エリア１０９と、図中央に大きく設けられた系統・方調画面表示エリア１１３と、図右側に上下に設けられた回転受信装置状態表示エリア１０６及び回転受信装置制御エリア１０７とから構成される。
【００２５】
画面切替エリア１１２は、「系統」ボタン１０２と「方調」ボタン１２１とを備えており、「系統」ボタン１０２が押下されて選択されると、図２に示すように、系統・方調画面表示エリア１１３に系統画面表示状態１０５が表示される。また、「方調」ボタン１２１が押下され選択されると、図３に示すように、系統・方調画面表示エリア１１３に方調画面表示状態１２２が表示される。系統画面表示状態１０５及び方調画面表示状態１２２の詳細については後述する。
【００２６】
受信状態表示エリア１０９は、受信対象となっている受信装置の受信電界状態を棒グラフ状及び数字で表示する受信電界レベル表示部１０３と、回転受信装置の現在の向きを角度表示する角度表示部１０４と、誤動作防止ボタン１１０とを有する。
【００２７】
誤動作防止ボタン１１０は、誤動作防止モードとして素材伝送中の機器に関わる設定変更操作がオペレータよりなされたときに警告を発するように設定する。
【００２８】
回転受信装置状態表示エリア１０６は、素材伝送中の回転受信装置（５１，５２，５３）及びその回転受信装置に対応する受信部（２０２ａ，２０２ｂ，２０６）の作動状況を示している。ここでは、７ＧＨｚ帯及び１０ＧＨｚ帯の受信波に対してＨ（水平）偏波状況と、ＬＮＡ（Low Noise Amplifer）作動状況、及びＢＰＦ作動状況について表示可能となっている。
【００２９】
また、回転受信装置制御エリア１０７は、受信したいＦＰＵ送信機の位置を緯度及び経度で指定可能となっている。
【００３０】
つぎに、系統画面表示状態１０５及び方調画面表示状態１２２について説明する。
図２に示す系統画面表示状態１０５では、系統・方調画面表示エリア１１３に、基地局２０と本社３０間における現在選択されている伝送系統及び予備系統が表示される。なお、右上に表示される伝送・予備系統例示ウィンドウ１０８には、素材伝送中の伝送系統は太線で表示され、予備系統は破線で表示される旨が示されている。この画面で機器の設定が可能であるため、「系統」ボタン１０２が押下され系統画面表示状態１０５の表示が選択されたときに、誤動作防止ボタン１１０が押下されない場合には、系統画面表示状態１０５を表示しないようになっている。また、誤動作防止ボタン１１０の押下を促すために、誤動作防止ボタン１１０は点滅表示されるようになっている。なお、点滅の代わりに誤動作防止ボタン１１０を押下するよう促すメッセージがポップアップ表示されるようにしてもよい。
【００３１】
具体的な表示例としてここでは、基地局２０における素材伝送中の伝送系統として、第１の基地局回転受信装置５１（回転受信１）、第１の基地局受信部２０２ａ（ＦＰＵ  ＲＸ１）から基地局スイッチャー２１０ａに繋がる系統が太線で表示されている。そして、その太線で示される系統は、基地局スイッチャー２１０ａ、基地局送信部２０３（ＴＳＬ  ＴＸ）、基地局固定送信アンテナ６１を介して本社３０へ繋がっている。一方、基地局２０の予備系統である第２の基地局回転受信装置５２（回転受信２）、第２の基地局受信部２０２ｂ（ＦＰＵ  ＲＸ２）から基地局スイッチャー２１０ａに繋がる系統が、破線で表示されている。
【００３２】
そして、基地局２０に関する表示では、素材伝送中の伝送系統として、本社固定アンテナ６２、第１の本社受信部２０４（ＴＳＬ  ＲＸ）、本社スイッチャー２１０ｂ、デコーダ２１１（ＤＥＣ）に繋がる系統が太線で表示されている。
【００３３】
また、予備系統として、本社回転受信装置５３、第２の本社受信部２０６から本社スイッチャー２１０ｂに繋がる系統が破線で表示されている。
【００３４】
図３に示す方調画面表示状態１２２では、本社３０、基地局２０、及び第１の伝送点Ａの第１の送信部２０１（中継車）の配置が、簡易的に立体表示されている。
【００３５】
ここでは、素材伝送中の経路として、第１の送信部２０１と基地局２０が太線で表示されている。そして、本社３０の予備系統は特定のＦＰＵ装置とは接続されない状態で破線で示されている。ここでは破線は水平方向に延びた状態で示されている。
【００３６】
図４は、「系統」ボタン１０２が押下されたときの処理を示すフローチャートである。オペレータは、系統画面表示状態１０５を表示させるために「系統」ボタン１０２を押下すると（Ｓ１０）、つづいて誤動作防止ボタン１１０を押下する（Ｓ１２）。すると、系統・方調画面表示エリア１１３には、図２で示したように、素材伝送中の回線系統が太線で表示され、予備系統が破線で表示される（Ｓ１４）。
【００３７】
素材伝送中の機器に関する設定変更の操作がなされない間は（Ｓ１６のＮ）、素材伝送中の回線系統を太線で予備系統を破線とする表示が継続する（Ｓ１４）。
【００３８】
そして、素材伝送中の機器に関する設定変更の操作、たとえば、素材の伝送系統を予備系統に変更する操作などがなされると（Ｓ１６のＹ）、画面には切り替えるか否かを確認する警告メッセージウィンドウ１１１が表示される（Ｓ１８）。つまり、素材伝送中の機器に関する設定変更操作を有効または無効とするかの問い合わせを行う。
【００３９】
オペレータが警告メッセージウィンドウ１１１の「いいえ」ボタンを押下し設定変更を承認しない場合（Ｓ２０のＮ）、設定変更しないと判断されて設定変更不可能な状態が継続され、警告メッセージウィンドウ１１１が消えて素材伝送中の回線系統を太線で予備系統を破線とする表示が継続する（Ｓ１６）。オペレータが警告メッセージウィンドウ１１１の「はい」ボタンを押下して設定変更を承認した場合（Ｓ２０のＹ）、機器の設定変更が可能となる（Ｓ２２）。
【００４０】
図５は、方調操作端末７０の機能ブロック図である。方調操作端末７０は、方調制御部７１と、表示部７２と、操作入力装置７３とを備える。
【００４１】
表示部７２は、液晶ディスプレイなどの表示装置である。操作入力装置７３は、ユーザの操作を受け付けるインタフェイスであり、キーボード等のボタンや、表示部７２に取り付けられたタッチパネルや、マウスや、トラックボール等である。
【００４２】
方調制御部７１は、監視部７４と、機器設定部７５と、表示制御部７８と、を備える。監視部７４は、第１の基地局回転受信装置５１、第２の基地局回転受信装置５２、本社回転受信装置５３等に繋がる回線系統の状態を取得して、その情報をもとに表示制御部７８は図２や図３に示したように表示部７２に操作画面１０１を表示する。
【００４３】
機器設定部７５は、第１の基地局回転受信装置５１、第２の基地局回転受信装置５２、本社回転受信装置５３を所望の方向に制御したり、第１の基地局受信部２０２ａ、第２の基地局受信部２０２ｂ、第１の本社受信部２０４、第２の本社受信部２０６における上述の処理を制御する。具体的には、操作入力装置７３から受けたオペレータからの指示を各装置に送信するコマンド送信部７６と、上述の誤動作防止モードの処理を実行する設定保護部７７とを備えている。なお、方調制御部７１は、例えば、ＣＰＵ（中央演算装置）等のＬＳＩ（大規模集積回路）やメモリ及びそのメモリに記憶されてそれぞれの機能を実行するプログラムにより実現される。
【００４４】
以上、本実施形態によれば、オペレータは素材伝送を行っている回線系統を適切に把握できる。また、方調操作端末７０において、機器の設定変更可能な画面に移るときに誤動作防止ボタン１１０の押下が要求されるようにしたため、素材伝送に関わる機器に設定変更のガードを確実に設定できる。これにより、不用意な機器設定変更によって素材伝送が不可能になってしまうことを防止できる。
【００４５】
以上、本発明を実施形態をもとに説明した。この実施形態は例示であり、それらの各構成要素の組み合わせにいろいろな変形例が可能なこと、またそうした変形例も本発明の範囲にあることは当業者に理解されるところである。
【００４６】
本発明の概要をまとめると、つぎの通りとなる。つまり、複数の回線系統により伝送地点から直接または基地局を経由してデータを所定の場所まで伝送するＦＰＵ受信基地局システムの方向調整装置であって、データ（素材）が伝送されている回線系統と、データが伝送されていない予備の回線系統とを区別可能に表示する表示制御手段と、表示された回線系統の変更操作がなされたとき、当該変更操作の有効または無効の問い合わせを表示する設定保護手段とを備えている。また、前記表示制御手段は、前記設定保護手段の作動させる為の操作（例えば、誤操作防止ボタンの押下）がなされないときに、前記回線系統を表示させくともよい。例えば、図２の系統画面表示状態１０５を表示させない。
【図面の簡単な説明】
【００４７】
【図１】本実施形態に係るＦＰＵ受信基地局システムの概要を示すシステム系統図を示している。
【図２】本実施形態に係る、方調操作端末の操作画面を示しており、特に系統画面表示状態が表示された状態を示している。
【図３】本実施形態に係る、方調操作端末の操作画面を示しており、特に方調画面表示状態が表示された状態を示している。
【図４】本実施形態に係る、操作画面で「系統」ボタンが押下されたときの処理を示すフローチャートである。
【図５】本実施形態に係る、方調操作端末の機能ブロック図である。
【符号の説明】
【００４８】
２０  基地局
３０  本社
５１  第１の基地局回転受信装置
５２  第２の基地局回転受信装置
５３  本社回転受信装置
６１  基地局固定送信アンテナ
６２  本社固定アンテナ
７０  方調操作端末
７１  方調制御部
７２  表示部
７３  操作入力装置
７４  監視部
７５  機器設定部
７６  コマンド送信部
７７  設定保護部
７８  表示制御部
８０  ネットワーク回線
１０１  操作画面
１０２  「系統」ボタン
１０５  系統画面表示状態
１０６  回転受信装置状態表示エリア
１０７  回転受信装置制御エリア
１０８  伝送・予備系統例示ウィンドウ
１０９  受信状態表示エリア
１１０  誤動作防止ボタン
１１１  警告メッセージウィンドウ
１１２  画面切替エリア
１１３  系統・方調画面表示エリア
１２１  「方調」ボタン
１２２  方調画面表示状態
２００  ＦＰＵ受信基地局システム
２０１  第１の送信部
２０２ｂ  第２の基地局受信部
２０２ａ  第１の基地局受信部
２０３  基地局送信部
２０４  第１の本社受信部
２０５  第２の伝送部
２０６  第２の本社受信部
２１０ａ  基地局スイッチャー
２１０ｂ  本社スイッチャー
２２３ａ  第１のリモコン親局
２２３ｂ  第２のリモコン親局
【図１】
2009105654.tif 000003
【図２】
2009105654.tif 000004
【図３】
2009105654.tif 000005
【図４】
2009105654.tif 000006
【図５】
2009105654.tif 000007